(57)【要約】【課題】  捲回群の捲回中心からの径の変化に応じた間隔でペースト紙にスリットが入っている円筒形密閉式鉛蓄電池を得る。【解決手段】  正極板５と負極板５とをセパレータとしてのペースト紙２ｂを介して捲回して捲回群を構成する。極板５はその表面にペースト紙２ｂが存在する。ペースト紙２ｂには、巻き取り方向とは直交する方向にスリットを施す。スリットの巻き取り方向の間隔は、捲回群の中心から外周に向かって巻き取り方向に広くする。【選択図】    図１
2005026194.tif 000002
【特許請求の範囲】
【請求項１】
正極板と負極板とがセパレータとしてのペースト紙を介して捲回された捲回群を持つ円筒形密閉式鉛蓄電池において、
前記極板はその表面に前記ペースト紙が存在し、前記ペースト紙には巻き取り方向とは直交する方向にスリットが施されており、前記スリットの巻き取り方向の間隔は前記捲回群の中心から外周に向かって巻き取り方向に広くなっていることを特徴とする円筒形密閉式鉛蓄電池。
【請求項２】
セパレータとしてのペースト紙を極板の上下に配置したロールの表面に沿って該極板の表面に貼り付け、前記ロールの表面を前記ペースト紙が通過する際に該ペースト紙に所要の間隔でスリット加工を施すことを特徴とする円筒形密閉式鉛蓄電池の製造方法。
【請求項３】
前記スリットの巻き取り方向の間隔は、正極板と負極板とを前記ペースト紙を介して捲回して形成する捲回群の中心から外周に向かって巻き取り方向に広くすることを特徴とする請求項２に記載の円筒形密閉式鉛蓄電池の製造方法。
【発明の詳細な説明】
【技術分野】
【０００１】
本発明は、円筒形密閉式鉛蓄電池及びその製造方法に関するものである。
【背景技術】
【０００２】
円筒形密閉式鉛蓄電池の極板群である捲回群は、長尺の正極板と負極板とをセパレータを介して渦巻き状に捲回した構造となっている。捲回時には、長尺の比較的柔らかい極板を取り扱うため、活物質の脱落を防止することは重要な課題である。一方、捲回群は長尺な極板を捲回した構造であるため、巻ずれの発生しにくい構造であることが要求される。
【０００３】
このため、極板に貼り付けるセパレータとしてペースト紙を用い、該ペースト紙にスリット加工を施すことにより活物質の脱落を防止し、且つ巻ずれを防止することが提案されている（例えば、特許文献１参照。）。これにより、巻ずれを防止することができる。
【特許文献１】特開２００２−１５８０３０号公報
【発明の開示】
【発明が解決しようとする課題】
【０００４】
しかしながら、高速で捲回を行うと、極板に貼り付けたペースト紙の破断が不規則に発生するようになるため、十分な巻きずれ防止効果が得られない問題点があった。また、ペースト紙にスリット加工を施すために、ロール状に捲かれた状態のペースト紙にスリット加工を施すと、スリット間隔が規定できない問題点があった。さらに、極板に貼り付けた後のペースト紙にスリット加工を行うと、極板を傷つけてしまう問題点があった。
【０００５】
本発明の目的は、捲回群の捲回中心からの径の変化に応じた間隔でペースト紙にスリットが入っている円筒形密閉式鉛蓄電池を提供することにある。
【０００６】
本発明の他の目的は、ペースト紙にスリットを所要の間隔で入れることができる円筒形密閉式鉛蓄電池の製造方法を提供することにある。
【課題を解決するための手段】
【０００７】
本発明は、上記の目的を達成するためになされたものである。
【０００８】
本発明は、正極板と負極板とがセパレータを介して捲回された捲回群を持つ円筒形密閉式鉛蓄電池を対象とする。
【０００９】
本発明に係る円筒形密閉式鉛蓄電池では、極板はその表面にペースト紙が存在し、該ペースト紙には巻き取り方向とは直交する方向にスリットが施されており、スリットの間隔は捲回群の中心から外周に向かって広くなっていることを特徴とする。
【００１０】
また、本発明に係る円筒形密閉式鉛蓄電池の製造方法では、ペースト紙を極板の上下に配置したロールの表面に沿って極板の表面に貼り付け、ロールの表面をペースト紙が通過する際に該ペースト紙に所要の間隔でスリット加工を施すことを特徴とする。
【００１１】
この場合、スリットの巻き取り方向の間隔は、正極板と負極板とをペースト紙を介して捲回して形成する捲回群の中心から外周に向かって巻き取り方向に広くする。
【発明の効果】
【００１２】
本発明に係る円筒形密閉式鉛蓄電池では、極板の表面に存在するペースト紙にその巻き取り方向とは直交する方向に設けているスリットの巻き取り方向の間隔を、捲回群の中心から外周に向かって巻き取り方向に広くしているので、換言すれば、スリットの巻き取り方向の間隔を捲回群の中心に向かって巻き取り方向に狭くしているので、捲回群の中心における極板の湾曲度合いが大きいゆえに、このように捲回群の外周よりもペースト紙のスリット間隔を小さくすることで、ペースト紙が極板に追随して湾曲し易くなり、安定して巻きずれを防止することができる。
【００１３】
また、本発明に係る円筒形密閉式鉛蓄電池の製造方法では、ペースト紙を極板の上下に配置したロールの表面に沿って極板の表面に貼り付け、ロールの表面をペースト紙が通過する際に該ペースト紙に所要の間隔でスリット加工を施すので、ロール状に巻き取られたペースト紙を引き出して極板に貼り付ける直前にスリット加工が行われ、このため極板に傷を付けることなく、極板長さに対応して所定の位置にスリット加工を施すことができる。
【００１４】
この場合、スリットの巻き取り方向の間隔を、正極板と負極板とをペースト紙を介して捲回して形成する捲回群の中心から外周に向かって巻き取り方向に広くすると、巻きずれを防止することができる。
【発明を実施するための最良の形態】
【００１５】
以下、本発明を実施するための最良の形態を、実施例に基づいて詳細に説明する。
【実施例】
【００１６】
厚さ０．７ｍｍの鉛合金箔を用いて、幅８０ｍｍ×長さ６００ｍｍの極板基体を打ち抜き、格子体からなる集電体を作製した。
【００１７】
次に、この集電体を用いて電極を作製した。正極板は、酸化度７０％の鉛粉と希硫酸とを混練して活物質ペーストを得、この活物質ペーストを集電体に充填して形成した。負極板は、酸化度７０％の鉛粉に少量の炭素粉末、リグニン、バリウム、化合物を加え、希硫酸と混練して活物質ペーストを得、この活物質ペーストを集電体に充填して形成した。
【００１８】
次に、ペースト紙を各極板の表面に貼り付けて、セパレータとしてのこれらペースト紙付きの正極板と負極板とをガラスマットセパレータを介して捲回して、表１に示すような捲回群を作製した。ここで、捲回群（１）は従来例、捲回群（２）は本発明例である。
【表１】
2005026194.tif 000003
これらの構造の捲回群（１），（２）を２秒／個の速度でそれぞれ１００個作製し、各捲回群の長径と短径の比率（＝長径／短径）を測定した。その結果を表２に示す。
【表２】
2005026194.tif 000004
従来例は比率１．０１の捲回群が半数以上を占めるものの、１．０４以上の捲回群が６個発生した。これに対し、本発明の捲回群は１．０４以上のものは発生せず、巻ずれが抑制されている。
【００１９】
図１はスリット加工の加工方法を示す斜視図、図２はスリット入りペースト紙の平面図である。これらの図において、１は上下に配置された１対のペースト紙ロール、２ａは１対のペースト紙ロール１から供給される１対のペースト紙、３は上下に配置された１対のペースト紙搬送ロール、４は上下に配置された１対のカッター、５は極板、２ｂは極板５の両面に貼られたスリット６入りペースト紙である。
【００２０】
本例では、上下に配置された１対のペースト紙ロール２から各ペースト紙２ａを、上下に配置された１対のペースト紙搬送ロール３に供給して引出す。各ペースト紙２ａは各ペースト紙搬送ロール３の表面に沿ってＵターンして極板５の両面に貼られる。各ペースト紙２ａが各ペースト紙搬送ロール３の表面を通過する際に、各カッター４を図示しない駆動手段で操作して、各ペースト紙２ａに捲回群の巻き取り方向である搬送方向とは直交する方向にスリット６を施す。スリット６はその巻き取り方向の間隔を、捲回群の中心から外周に向かって巻き取り方向に広くする。換言すれば、スリット６はその巻き取り方向の間隔を捲回群の中心に向かって巻き取り方向に狭くする。
【００２１】
ペースト紙２ａにスリット６を設けておくと、極板５を介して捲回しても、捲回に伴う張力はスリット６の開きで吸収され、巻ずれの発生を防止できる。
【００２２】
これにより、極板搬送速度と同期したロール速度及びカッター操作により、スリット加工が安定して、巻ずれを防止した同一品質のものが作製可能である。
【図面の簡単な説明】
【００２３】
【図１】スリット加工方法の一例を示す斜視図である。
【図２】スリット入りペースト紙の一例を示す平面図である。
【符号の説明】
【００２４】
１  ペースト紙ロール
２ａ  ペースト紙ロールから供給されるペースト紙
２ｂ  スリット入りのペースト紙
３  ペースト紙搬送ロール
４  カッター
５  極板
６  スリット
【図１】
2005026194.tif 000005
【図２】
2005026194.tif 000006